(57)【要約】【課題】高コスト化及び大型化を招くことなく、光源の温度上昇を抑制することができる光源装置を提供する。【解決手段】  パッケージ部材１２に保持されたレーザ素子１１、該レーザ素子１１を駆動する光源ドライバ１３、パッケージ部材１２及び光源ドライバ１３が同一の面に実装されている回路基板１４、該回路基板１４を保持する保持部材１５などを備えている。そして、光源ドライバ１３は保持部材１５に当接されている。この場合は、光源ドライバ１３で発生した熱の大部分は、保持部材１５に移動し、回路基板１４を介してパッケージ部材１２側に移動する熱は、非常に少ない。そこで、光源ドライバ１３で発生した熱によってレーザ素子１１の温度が上昇するのを抑制することができる。【選択図】図３
2011046140.tif 000002
【特許請求の範囲】
【請求項１】
パッケージ部材に保持された面発光レーザ素子と、前記面発光レーザ素子を駆動する光源ドライバと、前記パッケージ部材及び前記光源ドライバが同一の面に実装されている回路基板と、前記回路基板を保持する保持部材とを備える光源装置において、
前記光源ドライバは前記保持部材に当接されていることを特徴とする光源装置。
【請求項２】
前記光源ドライバにおける前記回路基板に実装されている面の面積は、前記保持部材における前記光源ドライバの当接面を除いた表面積よりも小さいことを特徴とする請求項１に記載の光源装置。
【請求項３】
前記光源ドライバは、平面状の第１基準面を有し、
前記保持部材は、前記第１基準面に略平行で、前記光源ドライバが当接される平面状の第２基準面を有することを特徴とする請求項１に記載の光源装置。
【請求項４】
前記パッケージ部材は、平面状の第３基準面を有し、
前記保持部材は、前記第３基準面に略平行で、前記第３基準面に対向する平面状の第４基準面を有し、
前記回路基板の実装面に直交する方向に関して、前記実装面を基準としたとき、前記第１基準面の位置ｈ１、前記第２基準面の位置ｈ２、前記第３基準面の位置ｈ３、前記第４基準面の位置ｈ４を用いて、ｈ１＞ｈ３、及びｈ１−ｈ３≧ｈ２−ｈ４の関係が満足されることを特徴とする請求項３に記載の光源装置。
【請求項５】
前記パッケージ部材は、平面状の第３基準面を有し、
前記保持部材は、前記第３基準面に略平行で、前記第３基準面に対向する平面状の第４基準面を有し、
前記回路基板の実装面に直交する方向に関して、前記実装面を基準としたとき、前記第１基準面の位置ｈ１、前記第２基準面の位置ｈ２、前記第３基準面の位置ｈ３、前記第４基準面の位置ｈ４を用いて、ｈ１＜ｈ３、及びｈ３−ｈ１≦ｈ４−ｈ２の関係が満足されることを特徴とする請求項３に記載の光源装置。
【請求項６】
前記回路基板を介して、前記光源ドライバを前記保持部材に押圧する押圧部材を更に備えることを特徴とする請求項１〜５のいずれか一項に記載の光源装置。
【請求項７】
前記回路基板を介して、前記パッケージ部材を前記保持部材に押圧する押圧部材を更に備えることを特徴とする請求項１〜６のいずれか一項に記載の光源装置。
【請求項８】
前記光源ドライバは、ゲル状の物質を介して前記保持部材に接合されていることを特徴とする請求項１〜７のいずれか一項に記載の光源装置。
【請求項９】
前記保持部材は、前記光源ドライバが当接されているドライバ保持部材と、前記パッケージ部材が当接されているパッケージ保持部材とに分割されていることを特徴とする請求項１〜８のいずれか一項に記載の光源装置。
【請求項１０】
光束により被走査面を走査する光走査装置であって、
請求項１〜９のいずれか一項に記載の光源装置と；
前記光源装置から射出された光束を偏向する偏向器と；
前記偏向器で偏向された光束を前記被走査面上に集光する走査光学系と；
前記偏向器及び前記走査光学系が収容されている光学ハウジングと；を備える光走査装置。
【請求項１１】
前記光源装置の保持部材は、前記光学ハウジングの一部であることを特徴とする請求項１０に記載の光走査装置。
【請求項１２】
少なくとも１つの像担持体と；
前記少なくとも１つの像担持体を画像情報に応じて変調された光束により走査する少なくとも１つの請求項１０又は１１に記載の光走査装置と；を備える画像形成装置。
【請求項１３】
前記画像情報は、多色のカラー画像情報であることを特徴とする請求項１２に記載の画像形成装置。
【発明の詳細な説明】
【技術分野】
【０００１】
本発明は、光源装置、光走査装置及び画像形成装置に係り、更に詳しくは、光源及び駆動回路が回路基板に実装されている光源装置、該光源装置を備える光走査装置、及び該光走査装置を備える画像形成装置に関する。
【背景技術】
【０００２】
近年、レーザプリンタやデジタル複写機などの画像形成装置では、印字速度の向上（高速化）及び書込密度の向上（高密度化）が望まれている。また、光源としては一般に半導体レーザが用いられており、従来は端面発光型の半導体レーザがその主流であったが、近年、垂直共振器型の面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ；「ＶＣＳＥＬ」とも呼ばれている。）が登場してきた。
【０００３】
一方、画像形成装置の高速化及び高密度化に伴い、光源に駆動信号を供給する駆動回路での発熱量が増加する傾向にある。この駆動回路は、駆動信号の遅延を抑制するため、通常、光源の近くに設けられている。そこで、駆動回路の発熱に起因して光源の温度が上昇すると、垂直共振器型の面発光レーザは、従来の端面発光型の半導体レーザに比べて熱に弱いため、光源の寿命低下、画像品質の低下を招くおそれがあった。
【０００４】
例えば、特許文献１には、回路基板上の発熱部品からの熱をヒートパイプにより効率よく基板外へ導き、ヒートパイプの放熱側に配置した放熱フィンとファンからなる放熱部によって、機外へ放熱するように構成した回路部品の冷却装置において、冷却部品の低背化を図りつつ、冷却効率を大幅に高めた回路部品の冷却装置が開示されている。
【０００５】
また、特許文献２には、発熱量の大きいＭＰＵ等の部品を実装した回路基板の排熱の作用と、他の発熱部品の冷却を含めて１つの冷却ファンにより冷却できるようにした冷却装置が開示されている。
【０００６】
また、特許文献３には、主となる発熱素子にファン付きシンクが装着された電子回路基板の冷却構造が開示されている。
【発明の概要】
【発明が解決しようとする課題】
【０００７】
しかしながら、特許文献１〜特許文献３に開示されている冷却装置では、高コスト化及び大型化を招くという不都合があった。
【０００８】
そこで、光源ドライバとレーザ素子をそれぞれ別の基板に実装し、それらをハーネスにより接続することが考えられるが、この場合には、電気的なノイズの影響が大きくなり正確な信号が伝送されないという不都合があった。
【０００９】
本発明は、かかる事情の下になされたもので、その第１の目的は、高コスト化及び大型化を招くことなく、光源の温度上昇を抑制することができる光源装置を提供することにある。
【００１０】
また、本発明の第２の目的は、高コスト化及び大型化を招くことなく、安定した光走査を行うことができる光走査装置を提供することにある。
【００１１】
また、本発明の第３の目的は、高コスト化及び大型化を招くことなく、高品質の画像を形成することができる画像形成装置を提供することにある。
【課題を解決するための手段】
【００１２】
本発明は、第１の観点からすると、パッケージ部材に保持された面発光レーザ素子と、前記面発光レーザ素子を駆動する光源ドライバと、前記パッケージ部材及び前記光源ドライバが同一の面に実装されている回路基板と、前記回路基板を保持する保持部材とを備える光源装置において、前記光源ドライバは前記保持部材に当接されていることを特徴とする光源装置である。
【００１３】
これによれば、高コスト化及び大型化を招くことなく、光源の温度上昇を抑制することが可能となる。
【００１４】
本発明は、第２の観点からすると、光により被走査面を走査する光走査装置であって、本発明の光源装置と；前記光源装置から出力される光を偏向する偏向器と；前記偏向器で偏向された光を前記被走査面上に集光する走査光学系と；を備える光走査装置である。
【００１５】
これによれば、本発明の光源装置を備えているため、高コスト化及び大型化を招くことなく、安定した光走査を行うことが可能となる。
【００１６】
本発明は、第３の観点からすると、少なくとも１つの像担持体と；前記少なくとも１つの像担持体を画像情報が含まれる光により走査する少なくとも１つの本発明の光走査装置と；を備える画像形成装置である。
【００１７】
これによれば、本発明の光走査装置を備えているため、結果として、高コスト化及び大型化を招くことなく、高品質の画像を形成することが可能となる。
【図面の簡単な説明】
【００１８】
【図１】本発明の一実施形態に係るレーザプリンタの概略構成を説明するための図である。
【図２】図１における光走査装置を示す概略図である。
【図３】光源装置を説明するための図である。
【図４】レーザ素子を説明するための図である。
【図５】第１基準面〜第４基準面を説明するための図である。
【図６】本実施形態における光源ドライバで発生した熱の流れを説明するための図である。
【図７】図７（Ａ）は、光源ドライバが保持部材に当接されていない比較例を説明するための図であり、図７（Ｂ）は、比較例における光源ドライバで発生した熱の流れを説明するための図である。
【図８】光源ドライバの構成を説明するための図である。
【図９】押圧部材を説明するための図である。
【図１０】押圧部材によって光源ドライバが押圧されている光源装置を説明するための図である。
【図１１】押圧部材によってパッケージ部材が押圧されている光源装置を説明するための図である。
【図１２】押圧部材によって光源ドライバ及びパッケージ部材が押圧されている光源装置を説明するための図である。
【図１３】光源ドライバと保持部材がゲル状の物質を介して接合されている場合を説明するための図である。
【図１４】保持部材の変形例１を説明するための図である。
【図１５】保持部材の変形例２を説明するための図である。
【図１６】光学ハウジングが保持部材の機能を有する場合を説明するための図である。
【図１７】図１７（Ａ）〜図１７（Ｃ）は、それぞれ各基準面の位置関係を説明するための図（その１）である。
【図１８】図１８（Ａ）は、各基準面の位置関係が図１７（Ｂ）の場合の光源装置を説明するための図であり、図１８（Ｂ）は、各基準面の位置関係が図１７（Ｃ）の場合の光源装置を説明するための図である。
【図１９】図１９（Ａ）〜図１９（Ｃ）は、それぞれ各基準面の位置関係を説明するための図（その２）である。
【図２０】図２０（Ａ）は、各基準面の位置関係が図１９（Ｂ）の場合の光源装置を説明するための図であり、図２０（Ｂ）は、各基準面の位置関係が図１９（Ｃ）の場合の光源装置を説明するための図である。
【図２１】カラープリンタの概略構成を示す図である。
【発明を実施するための形態】
【００１９】
以下、本発明の一実施形態を図１〜図８に基づいて説明する。図１には、一実施形態に係る画像形成装置としてのレーザプリンタ１０００の概略構成が示されている。
【００２０】
このレーザプリンタ１０００は、光走査装置１０１０、感光体ドラム１０３０、帯電チャージャ１０３１、現像ローラ１０３２、転写チャージャ１０３３、除電ユニット１０３４、クリーニングユニット１０３５、トナーカートリッジ１０３６、給紙コロ１０３７、給紙トレイ１０３８、レジストローラ対１０３９、定着ローラ１０４１、排紙ローラ１０４２、排紙トレイ１０４３、通信制御装置１０５０、及び上記各部を統括的に制御するプリンタ制御装置１０６０などを備えている。なお、これらは、プリンタ筐体１０４４の中の所定位置に収容されている。
【００２１】
通信制御装置１０５０は、ネットワークなどを介した上位装置（例えばパソコン）との双方向の通信を制御する。
【００２２】
感光体ドラム１０３０は、円柱状の部材であり、その表面には感光層が形成されている。すなわち、感光体ドラム１０３０の表面が被走査面である。そして、感光体ドラム１０３０は、図１における矢印方向に回転するようになっている。
【００２３】
帯電チャージャ１０３１、現像ローラ１０３２、転写チャージャ１０３３、除電ユニット１０３４及びクリーニングユニット１０３５は、それぞれ感光体ドラム１０３０の表面近傍に配置されている。そして、感光体ドラム１０３０の回転方向に沿って、帯電チャージャ１０３１→現像ローラ１０３２→転写チャージャ１０３３→除電ユニット１０３４→クリーニングユニット１０３５の順に配置されている。
【００２４】
帯電チャージャ１０３１は、感光体ドラム１０３０の表面を均一に帯電させる。
【００２５】
光走査装置１０１０は、帯電チャージャ１０３１で帯電された感光体ドラム１０３０の表面に、上位装置からの画像情報に基づいて変調された光束を照射する。これにより、感光体ドラム１０３０の表面に、画像情報に対応した潜像が形成される。ここで形成された潜像は、感光体ドラム１０３０の回転に伴って現像ローラ１０３２の方向に移動する。なお、この光走査装置１０１０の構成については後述する。
【００２６】
トナーカートリッジ１０３６にはトナーが格納されており、該トナーは現像ローラ１０３２に供給される。
【００２７】
現像ローラ１０３２は、感光体ドラム１０３０の表面に形成された潜像にトナーカートリッジ１０３６から供給されたトナーを付着させて画像情報を顕像化させる。ここでトナーが付着した潜像（以下では、便宜上「トナー像」ともいう）は、感光体ドラム１０３０の回転に伴って転写チャージャ１０３３の方向に移動する。
【００２８】
給紙トレイ１０３８には記録紙１０４０が格納されている。この給紙トレイ１０３８の近傍には給紙コロ１０３７が配置されており、該給紙コロ１０３７は、記録紙１０４０を給紙トレイ１０３８から１枚づつ取り出し、レジストローラ対１０３９に搬送する。該レジストローラ対１０３９は、給紙コロ１０３７によって取り出された記録紙１０４０を一旦保持するとともに、該記録紙１０４０を感光体ドラム１０３０の回転に合わせて感光体ドラム１０３０と転写チャージャ１０３３との間隙に向けて送り出す。
【００２９】
転写チャージャ１０３３には、感光体ドラム１０３０の表面上のトナーを電気的に記録紙１０４０に引きつけるために、トナーとは逆極性の電圧が印加されている。この電圧により、感光体ドラム１０３０の表面のトナー像が記録紙１０４０に転写される。ここで転写された記録紙１０４０は、定着ローラ１０４１に送られる。
【００３０】
定着ローラ１０４１では、熱と圧力とが記録紙１０４０に加えられ、これによってトナーが記録紙１０４０上に定着される。ここで定着された記録紙１０４０は、排紙ローラ１０４２を介して排紙トレイ１０４３に送られ、排紙トレイ１０４３上に順次スタックされる。
【００３１】
除電ユニット１０３４は、感光体ドラム１０３０の表面を除電する。
【００３２】
クリーニングユニット１０３５は、感光体ドラム１０３０の表面に残ったトナー（残留トナー）を除去する。残留トナーが除去された感光体ドラム１０３０の表面は、再度帯電チャージャ１０３１に対向する位置に戻る。
【００３３】
次に、前記光走査装置１０１０の構成について説明する。
【００３４】
この光走査装置１０１０は、図２に示されるように、光源装置１０１、カップリングレンズ１０２、シリンドリカルレンズ１０３、ポリゴンミラー１０４、ｆθレンズ１０５、トロイダルレンズ１０６、光検知センサ１０７、及び折り返しミラー１０８などを備えている。
【００３５】
なお、本明細書では、ＸＹＺ３次元直交座標系において、カップリングレンズ１０２の光軸に沿った方向をＹ軸方向、ポリゴンミラー１０４の回転軸に平行な方向をＺ軸方向として説明する。また、以下では、便宜上、主走査方向に対応する方向を「主走査対応方向」と略述し、副走査方向に対応する方向を「副走査対応方向」と略述する。
【００３６】
カップリングレンズ１０２は、光源装置１０１から射出された光束を略平行光とする。
【００３７】
シリンドリカルレンズ１０３は、カップリングレンズ１０２を介した光束を、ポリゴンミラー１０４の偏向反射面近傍にＺ軸方向に関して結像する。
【００３８】
光源装置１０１とポリゴンミラー１０４との間の光路上に配置される光学系は、偏向器前光学系とも呼ばれている。本実施形態では、偏向器前光学系は、カップリングレンズ１０２とシリンドリカルレンズ１０３とから構成されている。
【００３９】
ポリゴンミラー１０４は、６面鏡を有し、各鏡がそれぞれ偏向反射面となる。このポリゴンミラー１０４は、Ｚ軸方向に平行な軸の周りに等速回転し、シリンドリカルレンズ１０３からの光束を偏向する。
【００４０】
ｆθレンズ１０５は、ポリゴンミラー１０４で偏向された光束の光路上に配置されている。
【００４１】
トロイダルレンズ１０６は、ｆθレンズ１０５を介した光束の光路上に配置されている。
【００４２】
折り返しミラー１０８は、トロイダルレンズ１０６を通過した光束を、感光体ドラム１０３０の表面に向けて折り返す。これにより、感光体ドラム１０３０の表面に光スポットが形成される。この光スポットは、ポリゴンミラー１０４の回転に伴って感光体ドラム１０３０の長手方向に移動する。すなわち、感光体ドラム１０３０上を走査する。このときの光スポットの移動方向が「主走査方向」である。また、感光体ドラム１０３０の回転方向が「副走査方向」である。
【００４３】
ポリゴンミラー１０４と感光体ドラム１０３０との間の光路上に配置される光学系は、走査光学系とも呼ばれている。本実施形態では、走査光学系は、ｆθレンズ１０５とトロイダルレンズ１０６と折り返しミラー１０８とから構成されている。
【００４４】
光検知センサ１０７には、ポリゴンミラー１０４で偏向され、トロイダルレンズ１０６を通過した光束のうち１回の走査における書き込み前の光束の一部が入射する。
【００４５】
光検知センサ１０７は、受光量に応じた電気信号（光電変換信号）を生成し、光源装置１０１に出力する。
【００４６】
光源装置１０１は、一例として図３に示されるように、レーザ素子１１、パッケージ部材１２、光源ドライバ１３、回路基板１４、保持部材１５などを備えている。
【００４７】
レーザ素子１１は、一例として図４に示されるように、３２個の発光部（ｖ１〜ｖ３２）が２次元的に配列されて１つの半導体基板上に形成された２次元アレイ１００を有している。
【００４８】
３２個の発光部は、すべての発光部をＺ軸方向に伸びる仮想線上に正射影したときに、隣接する２つの発光部の発光部間隔が等間隔となるように配置されている。なお、本明細書では、「発光部間隔」とは２つの発光部の中心間距離をいう。
【００４９】
また、各発光部は、発振波長が７８０ｎｍ帯の垂直共振器型の面発光レーザである。すなわち、２次元アレイ１００は、３２個の発光部を有する面発光レーザアレイである。
【００５０】
図３に戻り、パッケージ部材１２は、レーザ素子１１を保持する部材であり、レーザ素子１１を保持した状態で回路基板１４に実装されている。
【００５１】
光源ドライバ１３は、レーザ素子１１を駆動するための駆動信号を出力するチップであり、回路基板１４に実装されている。
【００５２】
ここでは、パッケージ部材１２及び光源ドライバ１３は、いずれも回路基板１４の＋Ｙ側の面に実装されている。
【００５３】
回路基板１４は、ねじ１６によって保持部材１５に取り付けられている。そして、保持部材１５が光学ハウジングに取り付けられている。
【００５４】
また、一例として図５に示されるように、光源ドライバ１３の＋Ｙ側の面は、ＸＺ面に平行であり、第１基準面となっている。
【００５５】
保持部材１５における上記第１基準面に対向する面は、ＸＺ面に平行であり、第２基準面となっている。
【００５６】
パッケージ部材１２の＋Ｙ側の面は、ＸＺ面に平行であり、第３基準面となっている。
【００５７】
保持部材１５における上記第３基準面に対向する面は、ＸＺ面に平行であり、第４基準面となっている。
【００５８】
ここでは、第１基準面と第２基準面、及び第３基準面と第４基準面は、いずれも接触している（図３参照）。
【００５９】
また、光源ドライバ１３における回路基板１４に実装されている面の面積は、保持部材１５における光源ドライバ１３が当接されている面を除いた表面積よりも小さい。
【００６０】
この場合には、光源ドライバ１３で発生した熱は、一例として図６に示されるように、その大部分が保持部材１５に移動し、回路基板１４を介してパッケージ部材１２に向かう熱は少ない。そこで、レーザ素子１１の温度上昇を抑制することができる。
【００６１】
ところで、一例として図７（Ａ）に示されるように、第１基準面と第２基準面が接触していなければ、光源ドライバ１３で発生した熱は、一例として図７（Ｂ）に示されるように、その大部分が回路基板１４を介して放熱されるため、レーザ素子１１の温度が上昇することとなる。
【００６２】
光源ドライバ１３は、一例として図８に示されるように、画素クロック生成回路２１５、画像処理回路２１６、書込制御回路２１９、及び光源駆動回路２２１などを有している。なお、図８における矢印は、代表的な信号や情報の流れを示すものであり、各ブロックの接続関係の全てを表すものではない。
【００６３】
画素クロック生成回路２１５は、画素クロック信号を生成する。ここで生成された画素クロック信号は、書込制御回路２１９に供給される。
【００６４】
画像処理回路２１６は、プリンタ制御装置１０６０を介して上位装置から受信した画像情報をラスター展開するとともに、所定の中間調処理などを行った後、各画素の階調を表す画像データを発光部毎に作成する。
【００６５】
書込制御回路２１９は、光検知センサ１０７の出力信号に基づいて書き込み開始のタイミングを検出すると、画像処理回路２１６からの画像データ、画素クロック生成回路２１５からの画素クロック信号に基づいてパルス変調信号を生成する。
【００６６】
光源駆動回路２２１は、書込制御回路２１９からのパルス変調信号に基づいてレーザ素子１１の各発光部を駆動する。
【００６７】
以上説明したように、本実施形態に係る光源装置１０１によると、パッケージ部材１２に保持されたレーザ素子１１、該レーザ素子１１を駆動する光源ドライバ１３、パッケージ部材１２及び光源ドライバ１３が同一の面に実装されている回路基板１４、該回路基板１４を保持する保持部材１５などを備えている。そして、光源ドライバ１３は保持部材１５に当接されている。この場合は、光源ドライバ１３で発生した熱の大部分は、保持部材１５に移動し、回路基板１４を介してパッケージ部材１２側に移動する熱は、非常に少ない。そこで、光源ドライバ１３で発生した熱によってレーザ素子１１の温度が上昇するのを抑制することができる。
【００６８】
そこで、高コスト化及び大型化を招くことなく、光源の温度上昇を抑制することができる。
【００６９】
その結果、光源の寿命がのびることとなり、そのため、ゴミ排出量が減少するとともに、光源装置の生産に関わる材料の使用量の増加が抑制され、環境負荷の増大を抑制することが可能となる。
【００７０】
また、光源ドライバ１３は、平面状の第１基準面を有し、保持部材１５は、第１基準面に略平行で、光源ドライバ１３が当接される平面状の第２基準面を有している。そこで、光源ドライバ１３は、保持部材１５と面接触することとなり、光源ドライバ１３で発生した熱を効率良く保持部材１５に移動させることができる。
【００７１】
そして、光源ドライバ１３における回路基板１４に実装されている面の面積は、保持部材１５における光源ドライバ１３が当接されている面を除いた表面積よりも小さい。この場合は、光源ドライバ１３と保持部材１５との間の熱抵抗を小さくし、光源ドライバ１３と回路基板１４との間の熱抵抗を大きくすることができる。そこで、光源ドライバ１３から保持部材１５への熱の移動が促進され、光源ドライバ１３から回路基板１４への熱の移動を少なくすることができる。
【００７２】
そして、本実施形態に係る光走査装置１０１０によると、光源装置１０１を有しているため、高コスト化及び大型化を招くことなく、安定した光走査を行うことが可能となる。
【００７３】
そして、光源ドライバ１３で発生した熱を放熱するための放熱フィン及び放熱ファンなどの放熱部品が不要となる。また、光学ハウジングにおいて、放熱ファンからの空気の流路を確保する必要がない。すなわち、部品点数を増加させることなく高安定な光走査装置を実現することができる。そのため、光走査装置の生産に関わる材料の使用量を増やす必要がなく、その結果として資源採掘量及びプラスチックゴミ排出量に関して環境負荷の増大を抑制することが可能となる。
【００７４】
また、本実施形態に係るレーザプリンタ１０００によると、光走査装置１０１０を備えているため、結果として、高コスト化及び大型化を招くことなく、高品質の画像を形成することが可能となる。
【００７５】
なお、上記実施形態において、一例として図９に示されるような押圧部材１７を用いて、図１０に示されるように、回路基板１４を介して、光源ドライバ１３を保持部材１５に押圧しても良い。
【００７６】
また、上記実施形態において、一例として図１１に示されるように、押圧部材１８を用いて、回路基板１４を介して、パッケージ部材１２を保持部材１５に押圧しても良い。
【００７７】
また、上記実施形態において、一例として図１２に示されるように、押圧部材１９を用いて、回路基板１４を介して、光源ドライバ１３及びパッケージ部材１２を保持部材１５に押圧しても良い。
【００７８】
また、上記実施形態において、一例として図１３に示されるように、光源ドライバ１３が、シリコーンオイルのようなゲル状の物質を介して保持部材１５に接合されても良い。
【００７９】
また、上記実施形態において、一例として図１４に示されるように、保持部材１５が、光源ドライバ１３が当接されるドライバ保持部材１５Ａと、パッケージ部材１２が当接されるパッケージ保持部材１５Ｂとに分割されていても良い。この場合は、光源ドライバ１３で発生した熱の大部分は、ドライバ保持部材１５Ａに移動し、さらにドライバ保持部材１５Ａから光学ハウジングに移動する。そして、パッケージ保持部材１５Ｂは、ドライバ保持部材１５Ａからの熱の流入がほとんどないため、パッケージ保持部材１５Ｂの温度上昇は、ほとんどない。そこで、光源ドライバ１３で発生した熱によってレーザ素子１１の温度が上昇するのを更に抑制することができる。
【００８０】
この場合に、一例として図１５に示されるように、ドライバ保持部材１５Ａが光学ハウジングに取り付けられていなくても良い。
【００８１】
また、上記実施形態において、一例として図１６に示されるように、光学ハウジングが保持部材１５の機能を有していても良い。この場合は、光学ハウジングの熱容量が大きいため、より効果的に光源ドライバ１３の熱を放熱することができる。
【００８２】
また、上記実施形態では、第１基準面と第２基準面、及び第３基準面と第４基準面が、いずれも接触している場合について説明したが、これに限定されるものではなく、第３基準面と第４基準面は、接触しなくても良い。
【００８３】
ここで、Ｙ軸方向に関して、回路基板１４の実装面を基準としたとき、第１基準面の位置ｈ１、第２基準面の位置ｈ２、第３基準面の位置ｈ３、第４基準面の位置ｈ４とする。
【００８４】
そして、一例として図１７（Ａ）に示されるように、ｈ１＞ｈ３のときに、一例として図１７（Ｂ）に示されるように、ｈ１−ｈ３≧ｈ２−ｈ４の関係が満足されると、一例として図１８（Ａ）に示されるように、第１基準面と第２基準面を確実に接触させることができる。
【００８５】
このとき、一例として図１７（Ｃ）に示されるように、ｈ１−ｈ３≧ｈ２−ｈ４の関係が満足されていないと、一例として図１８（Ｂ）に示されるように、第１基準面と第２基準面を接触させることができない。
【００８６】
従って、ｈ１＞ｈ３のときは、ｈ１−ｈ３≧ｈ２−ｈ４の関係が満足されることが必要である。
【００８７】
また、一例として図１９（Ａ）に示されるように、ｈ１＜ｈ３のときに、一例として図１９（Ｂ）に示されるように、ｈ１−ｈ３≦ｈ２−ｈ４の関係が満足されると、一例として図２０（Ａ）に示されるように、第１基準面と第２基準面を確実に接触させることができる。
【００８８】
このとき、一例として図１９（Ｃ）に示されるように、ｈ１−ｈ３≦ｈ２−ｈ４の関係が満足されていないと、一例として図２０（Ｂ）に示されるように、第１基準面と第２基準面を接触させることができない。
【００８９】
従って、ｈ１＜ｈ３のときは、ｈ１−ｈ３≦ｈ２−ｈ４の関係が満足されることが必要である。
【００９０】
また、上記実施形態では、２次元アレイ１００の発光部の数が３２個の場合について説明したが、本発明がこれに限定されるものではない。
【００９１】
また、上記実施形態において、前記２次元アレイ１００に代えて、１つの発光部を有する面発光レーザを用いても良い。
【００９２】
なお、上記実施形態では、画像形成装置としてレーザプリンタ１０００の場合について説明したが、これに限定されるものではない。要するに、光走査装置１０１０を備えた画像形成装置であれば良い。
【００９３】
例えば、前記光走査装置１０１０を備え、レーザ光によって発色する媒体（例えば、用紙）に直接、レーザ光を照射する画像形成装置であっても良い。
【００９４】
また、像担持体として銀塩フィルムを用いた画像形成装置であっても良い。この場合には、光走査により銀塩フィルム上に潜像が形成され、この潜像は通常の銀塩写真プロセスにおける現像処理と同等の処理で可視化することができる。そして、通常の銀塩写真プロセスにおける焼付け処理と同等の処理で印画紙に転写することができる。このような画像形成装置は光製版装置や、ＣＴスキャン画像等を描画する光描画装置として実施できる。
【００９５】
また、例えば、図２１に示されるように、複数の感光体ドラムを備えるカラープリンタ２０００であっても良い。
【００９６】
このカラープリンタ２０００は、４色（ブラック、シアン、マゼンタ、イエロー）を重ね合わせてフルカラーの画像を形成するタンデム方式の多色カラープリンタであり、ブラック用の「感光体ドラムＫ１、帯電装置Ｋ２、現像装置Ｋ４、クリーニングユニットＫ５、及び転写装置Ｋ６」と、シアン用の「感光体ドラムＣ１、帯電装置Ｃ２、現像装置Ｃ４、クリーニングユニットＣ５、及び転写装置Ｃ６」と、マゼンタ用の「感光体ドラムＭ１、帯電装置Ｍ２、現像装置Ｍ４、クリーニングユニットＭ５、及び転写装置Ｍ６」と、イエロー用の「感光体ドラムＹ１、帯電装置Ｙ２、現像装置Ｙ４、クリーニングユニットＹ５、及び転写装置Ｙ６」と、光走査装置２０１０と、転写ベルト２０８０と、定着ユニット２０３０などを備えている。
【００９７】
各感光体ドラムは、図２１中の矢印の方向に回転し、各感光体ドラムの周囲には、回転方向に沿って帯電装置、現像装置、転写装置、クリーニングユニットがそれぞれ配置されている。各帯電装置は、対応する感光体ドラムの表面を均一に帯電する。この帯電装置によって帯電された各感光体ドラム表面に光走査装置２０１０により光が照射され、各感光体ドラムに潜像が形成されるようになっている。そして、対応する現像装置により各感光体ドラム表面にトナー像が形成される。さらに、対応する転写装置により、記録紙に各色のトナー像が転写され、最終的に定着ユニット２０３０により記録紙に画像が定着される。
【００９８】
光走査装置２０１０は、前記光源装置１０１と同様な光源装置を、それぞれ色毎に有している。
【００９９】
そして、各光源装置から射出された光束は、対応する偏向器前光学系を介して共通のポリゴンミラーで偏向され、対応する走査光学系を介して対応する感光体ドラムに照射される。
【０１００】
従って、光走査装置２０１０は、前記光走査装置１０１０と同様な効果を得ることができる。そして、カラープリンタ２０００は、前記レーザプリンタ１０００と同様な効果を得ることができる。
【０１０１】
なお、このカラープリンタ２０００において、光走査装置を１色毎に設けても良いし、２色毎に設けても良い。
【産業上の利用可能性】
【０１０２】
以上説明したように、本発明の光源装置によれば、高コスト化及び大型化を招くことなく、光源の温度上昇を抑制するのに適している。また、本発明の光走査装置によれば、高コスト化及び大型化を招くことなく、安定した光走査を行うのに適している。また、本発明の画像形成装置によれば、高コスト化及び大型化を招くことなく、高品質の画像を形成するのに適している。
【符号の説明】
【０１０３】
１１…レーザ素子（面発光レーザ素子）、１２…パッケージ部材、１３…光源ドライバ、１４…回路基板、１５…保持部材、１０１…光源装置、１０４…ポリゴンミラー（偏向器）、１０５…ｆθレンズ（走査光学系の一部）、１０６…トロイダルレンズ（走査光学系の一部）、１０８…折り返しミラー（走査光学系の一部）、１０００…レーザプリンタ（画像形成装置）、１０１０…光走査装置、１０３０…感光体ドラム（像担持体）、２０００…カラープリンタ（画像形成装置）、２０１０…光走査装置、Ｋ１，Ｃ１，Ｍ１，Ｙ１…感光体ドラム（像担持体）。
【先行技術文献】
【特許文献】
【０１０４】
【特許文献１】特開２００１−２１７３６６号公報
【特許文献２】特開２００２−２７１０７３号公報
【特許文献３】特許第４０８７１３３号公報
【図１】
2011046140.tif 000003
【図２】
2011046140.tif 000004
【図３】
2011046140.tif 000005
【図４】
2011046140.tif 000006
【図５】
2011046140.tif 000007
【図６】
2011046140.tif 000008
【図７】
2011046140.tif 000009
【図８】
2011046140.tif 000010
【図９】
2011046140.tif 000011
【図１０】
2011046140.tif 000012
【図１１】
2011046140.tif 000013
【図１２】
2011046140.tif 000014
【図１３】
2011046140.tif 000015
【図１４】
2011046140.tif 000016
【図１５】
2011046140.tif 000017
【図１６】
2011046140.tif 000018
【図１７】
2011046140.tif 000019
【図１８】
2011046140.tif 000020
【図１９】
2011046140.tif 000021
【図２０】
2011046140.tif 000022
【図２１】
2011046140.tif 000023